(57)【要約】【課題】流水量の調整を時宜に応じて容易に行うことができ、また、制水板及び制水弁によって形成される開口部内に、流水中に含有される塵挨やミネラル成分等が付着することを防止することができ、さらに、開口部内に塵挨やミネラル成分等が付着しても、これら塵挨やミネラル成分等を容易に取り除くことができる流量制御弁を提供する。【解決手段】水栓の吐出口端に接合される接合管部と、接合管部内に設置された第１の永久磁石と、接合金具に連続する中継管部と、中継管部よりの流出部に配置された扇状の制水板と、制水板に接した状態で回転可能に配設された扇状の制水弁と、中継管部に連続する吐出管部と、吐出管部内に設置された第２の永久磁石とを備える。吐出管部は、中継管部に対して回転操作されることにより、制水弁を制水板に対して回転させ、流水量を調整する。【選択図】図１
2007154975.tif 000002
【特許請求の範囲】
【請求項１】
水栓の吐出口端に接合され第１の通水室を形成する接合管部と、
前記第１の通水室内に設置され、この第１の通水室内を通過する流水が接する第１の永久磁石と、
前記接合金具に連続する第２の通水室を形成する中継管部と、
前記第２の通水室よりの流出部に配置された扇状の制水板と、
前記第２の通水室内において前記制水板に接した状態で回転可能に配設された扇状の制水弁と、
前記第２の通水室に連続する第３の通水室を形成する吐出管部と、
前記第３の通水室内に設置され、この第３の通水室内を通過する流水が接する第２の永久磁石と
を備え、
前記吐出管部は、前記中継管部に対して回転可能に取付けられ、該中継管部に対して回転操作されることにより、前記制水弁を前記制水板に対して回転させ、これら制水弁及び制水板の間を通過する流水量を調整する
ことを特徴とする流量制御弁。
【請求項２】
前記第１及び第２の永久磁石は、リング形状に形成され、このリング形状の内孔部に前記流水を通す
ことを特徴とする請求項１記載の流量制御弁。
【請求項３】
前記第１及び第２の永久磁石は、複数の球体として形成され、これら球体の間に前記流水を通す
ことを特徴とする請求項１記載の流量制御弁。
【発明の詳細な説明】
【技術分野】
【０００１】
本発明は、上水道の水栓の吐出口端に接合され、水栓からの吐出水量を調節するとともに、流水の浄水を行う流量制御弁に関する。
【背景技術】
【０００２】
従来、上水道の水栓の吐出口端に取付けることにより、水栓からの吐出水量を調節し、節水効果を奏する流量制御弁が提案されている。例えば、特許文献１及び特許文献２には、上水道の水栓の吐出口端に接合した管状体内に制水部材及び制水弁を設けて構成した流量制御弁が記載されている。
【０００３】
これら流量制御弁においては、制水弁が制水部材に対して移動可能となされており、これら制水部材及び制水弁によって形成される開口部の径を調整することにより、この開口部を通過する通水量が調整できるようになっている。
【０００４】
【特許文献１】実用新案登録第３０９３２４８号公報
【特許文献２】特許第３１８９１４４号公報
【発明の開示】
【発明が解決しようとする課題】
【０００５】
ところで、前述した従来の流量制御弁においては、制水弁の制水部材に対する移動操作は、この流量制御弁を水栓の吐出口端より取り外した状態で、六角レンチ等の工具を用いて行う必要があった。そのため、このような流量制御弁においては、流水量の調整を時宜に応じて容易に行うことができず、一旦調整した後は、そのまま固定するという使用方法になってしまっていた。
【０００６】
また、従来の流量制御弁においては、制水部材及び制水弁によって形成される開口部の径を小さくして流水量を絞った場合には、この開口部内に、流水中に含有される塵挨やミネラル成分等が付着し易くなる。そして、これら開口部内に付着した塵挨やミネラル成分等を取り除くためには、流量制御弁を水栓の吐出口端より取り外して清掃を行わなければならなかった。
【０００７】
そこで、本発明は、前述の実情に鑑みて提案されるものであって、流水量の調整を時宜に応じて容易に行うことができ、また、制水板及び制水弁によって形成される開口部内に、流水中に含有される塵挨やミネラル成分等が付着することを防止することができ、さらに、開口部内に塵挨やミネラル成分等が付着しても、これら塵挨やミネラル成分等を容易に取り除くことができる流量制御弁を提供することを目的とするものである。
【課題を解決するための手段】
【０００８】
本発明とに係る流量制御弁は、以下のいずれか一の構成を有するものである。
【０００９】
〔構成１〕
本発明に係る流量制御弁は、水栓の吐出口端に接合され第１の通水室を形成する接合管部と、第１の通水室内に設置されこの第１の通水室内を通過する流水が接する第１の永久磁石と、接合金具に連続する第２の通水室を形成する中継管部と、第２の通水室よりの流出部に配置された扇状の制水板と、第２の通水室内において制水板に接した状態で回転可能に配設された扇状の制水弁と、第２の通水室に連続する第３の通水室を形成する吐出管部と、第３の通水室内に設置されこの第３の通水室内を通過する流水が接する第２の永久磁石とを備え、吐出管部は、中継管部に対して回転可能に取付けられ、該中継管部に対して回転操作されることにより、制水弁を制水板に対して回転させ、これら制水弁及び制水板の間を通過する流水量を調整することを特徴とするものである。
【００１０】
〔構成２〕
本発明に係る流量制御弁は、構成１を有する流量制御弁において、第１及び第２の永久磁石は、リング形状に形成され、このリング形状の内孔部に流水を通すことを特徴とするものである。
【００１１】
〔構成３〕
本発明に係る流量制御弁は、構成１を有する流量制御弁において、第１及び第２の永久磁石は、複数の球体として形成され、これら球体の間に流水を通すことを特徴とするものである。
【発明の効果】
【００１２】
本発明に係る流量制御弁においては、吐出管部は、中継管部に対して回転可能に取付けられ、該中継管部に対して回転操作されることにより、制水弁を制水板に対して回転させ、これら制水弁及び制水板の間を通過する流水量を調整する。
【００１３】
したがって、この流量制御弁においては、吐出管部を中継管部に対して回転操作することにより、流水量の調整を時宜に応じて容易に行うことができる。また、この流量制御弁においては、第１及び第２の永久磁石によって、流水中に含有される塵挨やミネラル成分等が吸着され浄水されるので、制水板及び制水弁によって形成される開口部内にこれら塵挨やミネラル成分等が付着することが防止される。さらに、この流量制御弁においては、開口部内に塵挨やミネラル成分等が付着してしまっても、開口部の径を大きくして流水量を増大させることにより、これら塵挨やミネラル成分等を取り除くことができる。
【００１４】
また、この流量制御弁においては、第１及び第２の永久磁石の発する磁力により、流水がイオン化及び低クラスタ化され、飲用に適した水質とすることができる。これら第１及び第２の永久磁石は、リング形状に形成されこのリング形状の内孔部に流水を通すもの、あるいは、複数の球体として形成されこれら球体の間に流水を通すものとすることが効果的である。
【００１５】
すなわち、本発明は、流水量の調整を時宜に応じて容易に行うことができ、また、制水板及び制水弁によって形成される開口部内に、流水中に含有される塵挨やミネラル成分等が付着することを防止することができ、さらに、開口部内に塵挨やミネラル成分等が付着しても、これら塵挨やミネラル成分等を容易に取り除くことができる流量制御弁を提供することができるものである。
【発明を実施するための最良の形態】
【００１６】
以下、本発明を実施するための最良の形態について図面を参照して説明する。
【００１７】
〔第１の実施の形態〕
図１は、本発明に係る流量制御弁の第１の実施の形態における構成を示す分解斜視図である。
【００１８】
本発明に係る流量制御弁は、図１に示すように、水栓の吐出口端１０１に接合され第１の通水室１を形成する接合管部２を有している。この接合管部２は、例えば、ステンレス等の金属材料や合成樹脂材料等により、円筒状に形成されている。この接合管部２の上端部には、上水道の水栓の吐出口端１０１に設けられているネジ１０２に螺合されるネジ溝２ａが形成されている。このネジ溝２ａは、水栓の吐出口端１０１に設けられる種々の規格のネジ１０２に応じたネジ溝となっている。この接合管部２は、上端部のネジ溝２ａを水栓の吐出口端１０１のネジ１０２に螺合させることにより、容易に水栓の吐出口端１０１に接合されるようになっている。
【００１９】
なお、この接合管部２は、ネジが形成されていない吐出口端１０１に対しては、この吐出口端１０１の外周部を３方向、または、４方向より締めつけるように構成されたブラケットを介することにより、この吐出口端１０１に接合されることができる。
【００２０】
そして、第１の通水室１内には、この第１の通水室１内を通過する流水が接する第１の永久磁石３が設置されている。この第１の永久磁石３は、一対の半円弧状の磁石が組み合わされてリング形状をなして形成され、このリング形状の内孔部に流水を通すようになっている。この第１の永久磁石３の着磁方向は、一対の半円弧状の磁石における同一の極同士が突き合わされることにより、流水の流れの方向に対して垂直方向の磁力線が形成される着磁方向となっている。
【００２１】
そして、この流量制御弁は、接合金具２に連続する第２の通水室４を形成する中継管部５を有している。この中継管部５は、例えば、ステンレス等の金属材料や合成樹脂材料等により、円筒状に形成されている。この中継管部５の上端部は、接合管部２の下端部に接合されている。この中継管部５の下端側となる第２の通水室４よりの流出部には、扇状の制水板６が配置されている。この制水板６は、中継管部５の中心軸を要部とする複数の扇形状に形成されており、中継管部５に対して固定して配設されている。
【００２２】
また、第２の通水室４内においては、扇状の制水弁７が設置されている。この制水弁７は、中継管部５の中心軸を要部とする複数の扇形状に形成されており、制水板６に密接した状態で、中継管部５の中心軸まわりに回転可能に配設されている。
【００２３】
そして、この流量制御弁は、第２の通水室４に連続する第３の通水室８を形成する吐出管部９を有している。この吐出管部９は、例えば、ステンレス等の金属材料や合成樹脂材料等により、円筒状に形成されている。この吐出管部９の上端部は、中継管部５の下端部に回転可能に取付けられている。吐出管部９は、中継管部５に対して回転操作されることにより、制水弁７を制水板６に対して回転させる。すなわち、制水弁７は、吐出管部９の上端部に取付けられており、第２の通水室４内に進入されている。
【００２４】
吐出管部９の上端部と中継管部５の下端部との間には、Ｏ−リング１１等が配置されており、これら吐出管部９及び中継管部５が互いに回転可能でありながら、これら吐出管部９及び中継管部５の間からの漏水が防止されている。
【００２５】
図２は、本発明に係る流量制御弁における制水板及び制水弁の構成を示す平面図である。
【００２６】
制水弁７が制水板６に対して回転されると、図２中の（ａ）及び（ｂ）に示すように、これら制水板６及び制水弁７の間に形成される開口部１２の面積が調整され、この開口部１２を通過する流水量が調整される。
【００２７】
なお、吐出管部９の下端の吐出口には、網状の整流部材を設けてもよい。
【００２８】
第３の通水室８内には、この第３の通水室８内を通過する流水が接する第２の永久磁石１０が設置されている。この第２の永久磁石１０は、一対の半円弧状の磁石が組み合わされてリング形状をなして形成され、このリング形状の内孔部に流水を通すようになっている。この第２の永久磁石１０の着磁方向は、一対の半円弧状の磁石における同一の極同士が突き合わされることにより、流水の流れの方向に対して垂直方向の磁力線が形成される着磁方向となっている。
【００２９】
この流量制御弁においては、吐出管部９を中継管部５に対して回転操作することにより、流水量の調整を時宜に応じて容易に行うことができる。また、この流量制御弁においては、第１及び第２の永久磁石３，１０によって、流水中に含有される塵挨やミネラル成分等が吸着され浄水されるので、制水板６及び制水弁７によって形成される開口部１２内にこれら塵挨やミネラル成分等が付着することが防止される。
【００３０】
さらに、この流量制御弁においては、開口部１２内に塵挨やミネラル成分等が付着してしまっても、開口部１２の径を大きくして流水量を増大させることにより、これら塵挨やミネラル成分等を取り除くことができる。すなわち、例えば、数週間に１度程度、定期的に開口部１２の径を大きくして流水量を増大させる操作を行うことにより、開口部１２内に塵挨やミネラル成分等が蓄積することを防止することができる。
【００３１】
また、この流量制御弁においては、第１及び第２の永久磁石３，１０の発する磁力により、流水がイオン化及び低クラスタ化され、飲用に適した水質とすることができる。
【００３２】
〔第２の実施の形態〕
図３は、本発明に係る流量制御弁の第２の実施の形態における第１及び第２の永久磁石の構成を示す斜視図である。
【００３３】
本発明に係る流量制御弁においては、図３に示すように、第１及び第２の永久磁石３，１０は、複数の球体磁石の集合体として形成され、これら球体磁石の間に流水を通すものとすることができる。
【００３４】
第１及び第２の永久磁石３，１０は、それぞれが２段構造に形成されている。すなわち、第１及び第２の永久磁石３，１０は、球体磁石が一平面上に配列された集合体が２段に積層された構造となっている。
【００３５】
この場合にも、第１及び第２の永久磁石３，１０によって、流水中に含有される塵挨やミネラル成分等が吸着され浄水されるので、制水板６及び制水弁７によって形成される開口部１２内にこれら塵挨やミネラル成分等が付着することが防止される。また、この流量制御弁においても、第１及び第２の永久磁石３，１０の発する磁力により、流水がイオン化及び低クラスタ化され、飲用に適した水質とすることができる。
【図面の簡単な説明】
【００３６】
【図１】本発明に係る流量制御弁の第１の実施の形態における構成を示す分解斜視図である。
【図２】前記流量制御弁における制水板及び制水弁の構成を示す平面図である。
【図３】本発明に係る流量制御弁の第２の実施の形態における第１及び第２の永久磁石の構成を示す斜視図である。
【符号の説明】
【００３７】
１    第１の通水室
２    接合金具
３    第１の永久磁石
４    第２の通水室
５    中継管部
６    制水板
７    制水弁
８    第３の通水室
９    吐出管部
１０  第２の永久磁石
【図１】
2007154975.tif 000003
【図２】
2007154975.tif 000004
【図３】
2007154975.tif 000005